(57)【要約】【課題】容器内の圧力が高まっても、意図しない蓋体の外れが有効に防止され、また、蓋体を開ける力が大きくなりすぎることがない蓋付き容器を提供する。【解決手段】本発明の蓋付き容器は、底壁と側壁２１との協働にて上部を開口させた収容空間Ｍを区画形成する容器２０と、容器２０に覆い被さる天壁１１に容器の側壁上部２４を取り囲む縁壁１２を一体連結させるとともに、縁壁１２の内周面を側壁上部２４に当接させる蓋体１０とを備え、側壁上部２４と縁壁１２との相互間に、収容空間Ｍと外界とを連通させる空気路Ｓを設けることを特徴とする。【選択図】図４
2014108791.tif 000002
【特許請求の範囲】
【請求項１】
底壁と側壁との協働にて上部を開口させた収容空間を区画形成する容器と、該容器に覆い被さる天壁に該容器の側壁上部を取り囲む縁壁を一体連結させるとともに、該縁壁の内周面を該側壁上部に当接させる蓋体とを備える蓋付き容器であって、
前記側壁上部と前記縁壁との相互間に、前記収容空間と外界とを連通させる空気路を設けることを特徴とする蓋付き容器。
【請求項２】
前記側壁上部及び前記縁壁の少なくとも一方に、他方に向けて突出して前記空気路を形成する縦リブを設けた請求項１に記載の蓋付き容器。
【請求項３】
前記蓋体に、前記縁壁の内周面に前記側壁上部に係合する突起を設け、前記縦リブの下端を、該突起の下端よりも上方に位置させてなる請求項２に記載の蓋付き容器。
【発明の詳細な説明】
【技術分野】
【０００１】
本発明は、バターやジャム、水飴等を収容するのに用いて好適な蓋付き容器に関する。
【背景技術】
【０００２】
バター、マーガリン、ジャム、水飴等を収容するものとしては、広口の上部開口を有する容器と、容器に覆い被さって上部開口を閉鎖する蓋体とからなり、これらを薄肉の合成樹脂等にて形成した蓋付き容器が知られている（例えば特許文献１、２参照）。
【先行技術文献】
【特許文献】
【０００３】
【特許文献１】特開２００５−２３９２１９号公報
【特許文献２】特開２００３−１９１９８７号公報
【発明の概要】
【発明が解決しようとする課題】
【０００４】
ところで、このような蓋付き容器においては、容器内に埃や塵等が入り込むことを防止するべく、通常、容器の側壁に蓋体の縁壁を密着させている。しかし密着性が高くなりすぎると、蓋体を容器に取り付ける際、蓋体は、容器と蓋体との間の空気を圧縮しながら取り付けられることになるので、蓋体から手を離すとこれが浮き上がったり、容器から外れたりする（蓋体のセット不良）ことがあった。また、蓋体を閉めると容器内の空気は閉じ込められたままとなるため、例えば周囲の温度上昇によって容器内の圧力が徐々に高まり、暫くしてから蓋体が外れるという不具合を生じることがあった。また、蓋体を強めに押圧すると容器内は負圧気味となるため、蓋体を開くのに大きな力を要することもあった。
【０００５】
本発明は、このような従来の問題点を解決することを課題とするものであり、その目的は、蓋体のセット不良や意図しない蓋体の外れを防止することができ、また蓋体を開く力が大きくなりすぎることがない蓋付き容器を提案するところにある。
【課題を解決するための手段】
【０００６】
本発明は、底壁と側壁との協働にて上部を開口させた収容空間を区画形成する容器と、該容器に覆い被さる天壁に該容器の側壁上部を取り囲む縁壁を一体連結させるとともに、該縁壁の内周面を該側壁上部に当接させる蓋体とを備える蓋付き容器であって、
前記側壁上部と前記縁壁との相互間に、前記収容空間と外界とを連通させる空気路を設けることを特徴とする蓋付き容器である。
【０００７】
前記側壁上部及び前記縁壁の少なくとも一方に、他方に向けて突出して前記空気路を形成する縦リブを設けることが好ましい。
【０００８】
前記蓋体に、前記縁壁の内周面に前記側壁上部に係合する突起を設け、前記縦リブの下端を、該突起の下端よりも上方に位置させることが好ましい。
【発明の効果】
【０００９】
容器の側壁上部と蓋体の縁壁との相互間に、容器の収容空間と外界とを連通させる空気路を設けたので、容器と蓋体との間の空気を外界へ逃がしながら蓋体を取り付けることができ、また、容器内の圧力が上昇しても、容器内の空気を空気路から逃がすことができるので、蓋体のセット不良や意図しない蓋体の外れを防止することが可能となる。また、収容空間と外界とは、常時等しい圧力となるので、蓋体を開くのに要する力が大きくなりすぎることがない。
【００１０】
側壁上部及び縁壁の少なくとも一方に、他方に向けて突出して空気路を形成する縦リブを設ける場合は、容器及び蓋体が薄肉形状であっても容易に空気路を形成することができる。
【００１１】
従来、蓋体が容器から簡単に外れないようにするために、縁壁の内周面に側壁上部に係合する突起を設けることがあるが、縦リブの下端を突起の下端よりも上方に位置させることで、蓋体を容器に装着する際、縦リブよりも突起が先に蓋体に当たることになるので、蓋体が閉まる時の感触が縦リブを設けたことで変わってしまうことはない。
【図面の簡単な説明】
【００１２】
【図１】本発明に従う蓋体の一実施形態を示す下面図である。
【図２】（ａ）は、図１のＡ部の拡大図であり、（ｂ）は、図１のＢ部の拡大図である。
【図３】図１のＣ−Ｃに沿う断面図であり、図１の蓋体と本発明に従う容器とを組み合わせた状態を示す。
【図４】（ａ）は、図１のＤ−Ｄに沿う断面図であり、図１の蓋体と本発明に従う容器とを組み合わせた状態であって、（ｂ）は、（ａ）のＥ−Ｅに沿う断面を示す。
【発明を実施するための形態】
【００１３】
以下、図面を参照して、本発明をより具体的に説明する。
図１は、本発明に従う蓋体の一実施形態を示す下面図であって、図２（ａ）は、図１のＡ部の拡大図であり、図２（ｂ）は、図１のＢ部の拡大図であって、図３は、図１のＣ−Ｃに沿う断面図であり、図１の蓋体と本発明に従う容器とを組み合わせた状態を示していて、図４（ａ）は、図１のＤ−Ｄに沿う断面図であり、図１の蓋体と本発明に従う容器とを組み合わせた状態を示していて、図４（ｂ）は、図４（ａ）のＥ−Ｅに沿う断面を示す。
【００１４】
図中、符号１０は蓋体である。本実施形態において蓋体１０は、薄肉の合成樹脂製であって、図１に示すように下面視にて円板状となる天壁１１と、天壁１１の縁部を取り囲む環状の縁壁１２とを備えている。本実施形態において縁壁１２は、図３に示すように比較的大きな半径となる円弧部１２ａ及び径方向外側に広がる段部１２ｂを介して天壁１１に繋がっているが、これらの何れか一方、又は両方を取り除いて設けることも可能である。
【００１５】
天壁１１と縁壁１２との境界には、図１に示すように、径方向に沿って延びるリブ１３を設けている（本実施形態では周方向に等間隔で総計８個）。これにより、薄肉である蓋体１０の剛性を高めている。また図３に示すようにリブ１３には、段部１２ｂの内面に連なって水平に延びる支持部１３ａを設けている。
【００１６】
図３に示すように縁壁１２の内周面には、径方向内側に向けて凸となる突起１４を設けている（支持部１３ａを基準として、突起１４の下端までの長さをＬａとし、突起１４の上端までの長さをＬｂと定義する）。突起１４の下面には、比較的角度が浅い（縁壁１２を基準として鋭角側の角度が比較的小さい）傾斜面１４ａを設けている。また、突起１４は、図１に示すように周方向に間欠状に設けられていて、本実施形態では均等配置で総計６個設けている。
【００１７】
更に、縁壁１２の内周面には、図４（ａ）に示すように上下方向に沿って延びる縦リブ１５を設けている（本実施形態では周方向に等間隔で総計３個）。縦リブ１５の下端（支持部１３ａを基準とする長さはＬｃとなる）は、図３に示した突起１４の上端よりも下方に、また、突起１４の下端よりも上方に位置している（Ｌａ＞Ｌｃ＞Ｌｂの関係を満たす）。また、縦リブ１５の下端には、傾斜面１５ａを設けていて、縦リブ１５の横断面形状は、図４（ｂ）に示すように半円状となっている。
【００１８】
また、図３及び図４（ａ）に示す符号２０は容器である。図示は省略するが、容器２０の底壁は円板状であり、その縁部に環状となる側壁２１を連結させて、上部を開口させた収容空間Ｍを形成している。また側壁２１は、径方向外側に広がる段部２１ａを備えるとともに、上部には、径方向外側に向けて水平に延びるフランジ部２２を備えている。更に、フランジ部２２の外縁には、径方向外側に向かって下向きに傾斜する傾斜壁２３と、傾斜壁２３より更に延びて縁壁１２の内周面と略平行となる先端壁２４とを備えていて、これら傾斜壁２３及び先端壁２４にて側壁上部をなしている。
【００１９】
上記のような構成となる蓋体１０を容器２０に装着するには、蓋体１０を容器２０上にセットし、上方から下方に向けて押し込む。突起１４及び縦リブ１５の縦方向の位置は、前述のＬａ〜Ｌｃの関係を満たしており、縦リブ１５の下端は、突起１４の下端よりも上方に位置している。このため、縦リブ１５よりも突起１４が先に蓋体１０に当たることになるので、縦リブ１５が蓋体１０の閉まる際の感触に影響を与えることはない。また、突起１４及び縦リブ１５にはそれぞれ、傾斜面１４ａ及び１５ａを設けていて、また、容器２０の側壁２１には、傾斜壁２３を設けているので、蓋体１０を閉める際の力は少なくて済む。そして蓋体１０への押し込みを継続すると、図３及び図４（ａ）に示すように蓋体１０の支持部１３ａが容器２０のフランジ部２２に当接して、蓋体１０は容器２０に支持される。
【００２０】
この状態で、図３に示すように容器２０の先端壁２４は、蓋体１０の縁壁１２に当接する。本実施形態で先端壁２４は、縁壁１２の内周面と略平行になっているので、互いに面接触することになり、密着性を高めることができる。なお、先端壁２４が縁壁１２の内周面よりも径方向外側に僅かに突出するようにしておくことで、先端壁２４は縁壁１２に弾性的に接触することになるので、密着性を更に高めることができる。
【００２１】
一方、先端壁２４は、図４（ａ）に示すように縦リブ１５とも当接する。このため、縦リブ１５から離れた縁壁１２では先端壁２４が密着し、縦リブ１５の周辺では、図４（ｂ）に示すように隙間Ｓ（空気路）が形成される。これにより、容器２０の収容空間Ｍと外界とは空気路Ｓを通して連通するので、容器２０内の圧力が上昇しても、容器２０内の空気を外界へ逃がすことができる。なお、空気路Ｓは、縁壁１２に局所的に設けられている上、外界の空気が空気路Ｓを通して収容空間Ｍに流れる場合、空気は容器２０の下方から上方に向かって流れるので、外界の埃や塵が収容空間Ｍに入り込むおそれは低くなる。
【００２２】
また、蓋体１０を軽い力で持ち上げても、図３に示す突起１４が容器２０の先端壁２４に当たるので、意図しない蓋体１０の外れが有効に防止される。なお、縦リブ１５の下端は突起１４の上端よりも下方に位置しているので、突起１４が先端壁２４に当たっている場合でも、空気路Ｓは確保される。
【００２３】
また、空気路は、縁壁１２及び先端壁２４の少なくとも一方に、その肉厚を部分的に薄くした縦溝を形成し、ここを空気路としてもよく、また、縦リブと縦溝とを組み合わせて設けてもよい。
【産業上の利用可能性】
【００２４】
本発明によれば、容器内の圧力が高まっても、空気路を通して容器内の空気を逃がすことができるので、蓋体のセット不良や意図しない蓋体の外れが有効に防止され、また蓋体を強めに押圧してもこれを開ける際の力が大きくなりすぎることがない、使い勝手の良い蓋付き容器を提供することができる。
【符号の説明】
【００２５】
１０  蓋体
１１  天壁
１２  縁壁
１２ａ  円弧部
１２ｂ  段部
１３  リブ
１３ａ  支持部
１４  突起
１４ａ  傾斜面
１５  縦リブ
１５ａ  傾斜面
２０  容器
２１  側壁
２１ａ  段部
２２  フランジ部
２３  傾斜壁（側壁上部）
２４  先端壁（側壁上部）
Ｍ    収容空間
Ｓ    空気路
【図１】
2014108791.tif 000003
【図２】
2014108791.tif 000004
【図３】
2014108791.tif 000005
【図４】
2014108791.tif 000006